(57)【特許請求の範囲】
【請求項１】
光源と、
前記光源で発した光を、収容空間を備えるキャビネットの扉に設けられる鏡の端部から、面発光によって照射する導光板と、
前記導光板から突出して形成されると共に、前記光源で発した光を前記鏡の下方側に導き、導いた光を端部から照射することにより前記鏡の下方側から光を照射する導光部と、
を備え、
前記光源と前記導光板と前記導光部とは、前記扉に内設されていることを特徴とするミラーキャビネット。
【請求項２】
前記導光板と前記導光部とは、１つの面上に配設されていることを特徴とする請求項１に記載のミラーキャビネット。
【請求項３】
前記光源は、前記導光板の端部に配設されており、
前記導光板は、前記光源が配設されている側の端部と、前記光源が配設されている側の端部の反対側に位置する端部とが、相対的に傾斜していることを特徴とする請求項１または２に記載のミラーキャビネット。
【請求項４】
前記導光板は、少なくとも前記面発光する側の面の反対側の面に凹凸部が形成されていることを特徴とする請求項１〜３のいずれか１項に記載のミラーキャビネット。
【発明の詳細な説明】
【技術分野】
【０００１】
本発明は、ミラーキャビネットに関する。
【背景技術】
【０００２】
明るさを向上させるために設けられる照明装置は、光源を有し、この光源で発した光を所望の方向に照射することにより、所望の位置の明るさを確保している。また、照明装置は、外観の向上や製造コストの低減等の制約により、光源から離れた位置を照射するものも多くなっている。
【０００３】
例えば、特許文献１に記載されたミラーキャビネットでは、照明収納部に上部貫通穴を設け、ミラーキャビネット本体の下部に下部貫通穴を設けている。これにより、照明収納部内に配設された照明器具で発した光は、上部貫通穴と下部貫通穴とを通過して、ミラーキャビネット本体の下部を照らすことができるため、照明器具から離れた位置を照射することができる。
【０００４】
また、特許文献２に記載に記載された自動販売機のコイン投入口照明装置では、コイン投入口の外周に導光部材を設け、電照板の背後に設けられた照明用蛍光灯からの光を、光ファイバを介して導光部材に導いている。これにより、導光部材を面発光させ、コイン投入口の周囲を照らしている。
【先行技術文献】
【特許文献】
【０００５】
【特許文献１】特開２００３−２７５１１４号公報
【特許文献２】実開昭６２−１５１６７７号公報
【発明の概要】
【発明が解決しようとする課題】
【０００６】
照明装置で、光源から離れた位置を照射する場合には、特許文献１に記載されたミラーキャビネットのように、照射したい部分と光源との間を連通させたり、特許文献２に記載された自動販売機のコイン投入口照明装置のように、光ファイバを用いたりすることにより、所望の位置を照射することができる。
【０００７】
しかしながら、照射したい部分と光源との間を連通させた場合、その間の部分に他の物が入り込まないとは限らず、他の物が入り込んだ場合、光源からの光は所望位置に到達し難くなる場合がある。また、光ファイバ等、離れた位置に光を導く部材は、一方向に光を導くように設けられているため、複数の方向の双方に適切に照射するのは、大変困難なものとなっていた。
【０００８】
本発明は、上記に鑑みてなされたものであって、複数の方向を、より適切に照射することができるミラーキャビネットを提供することを目的とする。
【課題を解決するための手段】
【０００９】
上述した課題を解決し、目的を達成するために、この発明に係る照明装置は、光源と、前記光源で発した光を面発光によってキャビネットに設けられる鏡の端部から照射する導光板と、前記導光板から突出して形成されると共に、前記光源で発した光を前記鏡の下方側に導き、導いた光を端部から照射することにより前記鏡の下方側から光を照射する導光部と、を備えることを特徴とする。
【００１０】
なお、本発明におけるキャビネットとは、洗面化粧台に備え付けられるミラーキャビネットの他、浴室に備え付けられるミラーキャビネット等を指す。
【００１１】
この発明では、面発光する導光板によって、光源で発した光を鏡の端部から照射し、また、導光板から突出して形成される導光部によって、光源で発した光を鏡の下方側から照射するので、光源からの光で複数の箇所を照射することができる。この結果、複数の方向を、より適切に照射することができる。
【００１２】
また、上記ミラーキャビネットにおいて、前記鏡は、前記キャビネットの扉に設けられており、前記光源と前記導光板と前記導光部とは、前記扉に内設されていることが好ましい。
【００１３】
この発明では、光源と導光板と導光部とは、鏡が設けられる扉に内設されているので、キャビネットの収容空間を犠牲にすることなく、適切な照射を行う照明装置を設けることができる。この結果、キャビネットの収容能力と、照明装置の照射性能との両立を図ることができる。
【００１４】
また、上記ミラーキャビネットにおいて、前記光源は、前記導光板の端部に配設されており、前記導光板は、前記光源が配設されている側の端部と、前記光源が配設されている側の端部の反対側に位置する端部とが、相対的に傾斜していることが好ましい。
【００１５】
この発明では、導光板における光源が配設されている側の端部と、反対側に位置する端部とで、相対的に傾斜しているので、導光板を進む光の進行方向を、多様な方向にすることができる。これにより、光源からの光で複数の箇所を照射する際に、光をより確実に分散し、複数の箇所を照射することができる。この結果、より確実に、複数の方向を適切に照射することができる。また、突出した導光部の幅を広くすることで、照射エリアを横に広げることもできる。
【００１６】
また、上記ミラーキャビネットにおいて、前記導光板は、少なくとも前記面発光する側の面の反対側の面に凹凸部が形成されていることが好ましい。
【００１７】
この発明では、導光板における面発光する側の面の反対側の面に凹凸部を形成しているので、光源で発した光を、この凹凸部で反射させ、より確実に面発光させることができる。この結果、より確実に、複数の方向を適切に照射することができる。
【発明の効果】
【００１８】
本発明に係るミラーキャビネットは、複数の方向を、より適切に照射することができる、という効果を奏する。特に指向性の強いＬＥＤを光源とした場合には、照明のある上部に明るさが集中し手元部分が暗くなってしまうが、本発明に係るミラーキャビネットであれば、手元部分も良好に照射することができる。また、ミラーキャビネットの一部である導光板を延ばして下方側に導くため、別部材を増やすことなく、上記の効果を得ることができる。
【図面の簡単な説明】
【００１９】
【図１】図１は、実施形態に係る照明装置を備える洗面化粧台の概略図である。
【図２】図２は、図１のＡ−Ａ断面図である。
【図３】図３は、図２のＢ−Ｂ矢視図である。
【図４】図４は、図３のＣ−Ｃ断面図である。
【図５】図５は、実施形態に係る照明装置の変形例を示す要部断面図である。
【図６】図６は、実施形態に係る照明装置の変形例を示す要部断面図である。
【図７】図７は、実施形態に係る照明装置の変形例を示す要部断面図である。
【図８】図８は、実施形態に係る照明装置の変形例を示す要部断面図である。
【図９】図９は、図８のＤ−Ｄ断面図である。
【図１０】図１０は、実施形態に係る照明装置の変形例を示す要部断面図である。
【図１１】図１１は、実施形態に係る照明装置の変形例を示す要部断面図である。
【図１２】図１２は、実施形態に係る照明装置の変形例を示す要部断面図である。
【図１３】図１３は、実施形態に係る照明装置の変形例を示す説明図であり、浴室に備えられるミラーキャビネットの概略図である。
【発明を実施するための形態】
【００２０】
以下に、本発明に係るミラーキャビネットの実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２１】
〔実施形態〕
図１は、実施形態に係る照明装置を備える洗面化粧台の概略図である。なお、以下の説明では、洗面化粧台１の通常の使用状態における上下方向を、本実施形態に係る照明装置３０の上下方向、洗面化粧台１を使用する際における使用者の左右方向を、本実施形態に係る照明装置３０の左右方向として説明する。図１に示す洗面化粧台１は、水を使用する際における吐水部である水栓２や、水を溜めたり使用後の水を流したりする洗面器３が設けられている。また、これらの洗面器３等の上方には、洗面用具等の物を収容可能なキャビネット１０が設けられており、このキャビネット１０は、図１に示す洗面化粧台１では３つ設けられている。これらのように設けられるキャビネット１０は、洗面化粧台１を使用する人に対向する部分に、開閉可能な扉２０が設けられており、キャビネット１０への物の出し入れは、この扉２０を開閉することにより出し入れする。
【００２２】
また、この扉２０における、洗面化粧台１を使用する人に対向する側の面、即ち、キャビネット１０における、洗面化粧台１を使用する人に対向する側の面には、鏡１５が設けられている。このため、洗面化粧台１に設けられるキャビネット１０は、鏡１５を備えたミラーキャビネットとして設けられている。また、このようにキャビネット１０に設けられる鏡１５に上部には、光を照射する上部照射部１６が設けられている。この上部照射部１６は、各キャビネット１０、或いは扉２０の上端に沿って形成されており、上下方向には狭く、左右方向には、キャビネット１０、或いは扉２０の幅と同程度の幅で形成されている。
【００２３】
図２は、図１のＡ−Ａ断面図である。鏡１５を有する扉２０は、鏡ジョイナー２１によって鏡１５を保持しており、この鏡ジョイナー２１には、扉２０における鏡１５が位置する側の面の反対側の面に、ゴムや樹脂等の弾力性のある材料により形成された当止め足２２が設けられている。この当止め足２２は、扉２０を閉じた際に、キャビネット１０を形成するキャビネット壁部１２と弾力性を有して当接することにより、扉２０を閉じた際における衝撃を緩衝する役割を果たしている。扉２０は、このように当止め足２２がキャビネット壁部１２に当接して閉じることにより、キャビネット１０における内部空間であるキャビネット内部１３を、キャビネット１０の外部に対して閉じる。
【００２４】
また、鏡ジョイナー２１によって保持されている鏡１５は、上端に上部照射部１６が設けられているが、この上部照射部１６は、鏡１５において鏡銀膜２５が設けられていない部分になっている。詳しく説明すると、鏡１５は、透明な板状の形状で形成されたガラス部材と、このガラス部材における、鏡１５の反射面の反対側の面に貼り付けられた鏡銀膜２５とにより設けられている。鏡１５において反射可能な部分は、この鏡銀膜２５が設けられている部分になっており、上部照射部１６は、鏡銀膜２５が設けられておらず、ガラス部材のみにより設けられている部分になっている。このため、上部照射部１６は、光の透過が可能な部分になっている。
【００２５】
また、扉２０には、上部照射部１６から光を照射可能な照明装置３０が設けられている。この照明装置３０は、光源であるＬＥＤ（Ｌｉｇｈｔ  Ｅｍｉｔｔｉｎｇ  Ｄｉｏｄｅ）３５と、このＬＥＤ３５を発光させる際における電気を供給する基板３６と、ＬＥＤ３５で発した光を面発光によって、鏡１５の端部に位置する上部照射部１６から照射する導光板４０とを有している。このうち、導光板４０は、透明な部材により形成されており、ＬＥＤ３５で発した光を、当該導光板４０全体に導くことが可能に設けられている。鏡ジョイナー２１は、このように設けられる導光板４０を、鏡１５よりも内側、即ち、鏡１５よりもキャビネット内部１３側に位置させて保持している。
【００２６】
また、この導光板４０における鏡１５側の面のうち、鏡１５に設けられる鏡銀膜２５が位置している部分には、反射フィルム２７が配設されている。この反射フィルム２７は、導光板４０内に照射された光が当該反射フィルム２７から出光しようとしている場合に、この光を導光板４０内に反射することにより、出光しようとした光を導光板４０内に戻す。
【００２７】
また、導光板４０における鏡１５側の面の反対側の面には、白反射シート２８が配設されている。この白反射シート２８は、反射フィルム２７と同様に、導光板４０内に照射された光が当該白反射シート２８から出光しようとしている場合に、この光を導光板４０内に反射することにより、出光しようとした光を導光板４０内に戻す。
【００２８】
さらに、導光板４０における鏡１５側の面の反対側の面には、凹凸部である横溝４５が形成されている。この横溝４５は、導光板４０の左右方向に延びる溝として形成されており、導光板４０の上下方向に複数本が形成されている。詳しくは、この横溝４５は、導光板４０の厚さ方向に凹凸になった形状で形成されており、上下方向における範囲が、鏡１５の上部照射部１６の範囲とほぼ同じ範囲に形成されている。
【００２９】
図３は、図２のＢ−Ｂ矢視図である。図４は、図３のＣ−Ｃ断面図である。これらのように設けられる導光板４０は、導光板４０の下側の端部である導光板下端部４２が、導光板４０の幅方向における両端部から中央に向かうに従って、下方に向かう方向に傾斜している。つまり、導光板下端部４２は、水平方向に対して傾斜している。これに対し、導光板４０の上側の端部である導光板上端部４１は、導光板４０の幅方向に延びて形成されている。即ち、導光板上端部４１と導光板下端部４２とは、相対的に傾斜しており、このため、導光板４０は、上下方向における幅が、左右方向における両端部よりも、左右方向における中央部の方が大きくなっている。
【００３０】
また、このように導光板４０には、下方に突出した導光部５０が一体に形成されている。この導光部５０は、導光板下端部４２の左右方向における中央部、即ち、導光板下端部４２が最も導光板上端部４１から離れ、最も上下方向における幅が大きい部分から、下方に向けて突出し、導光板４０の厚さと同じ厚さで形成されている。導光部５０は、このように導光板４０から下方に突出して形成されているが、このように形成される導光部５０の下方側の端部である導光部端部５１は、キャビネット１０の下方側の端部であるキャビネット下端部１１（図１参照）付近に位置している。つまり、導光部端部５１は、扉２０の下方側の端部付近に位置しており、導光板上端部４１と概ね平行な平面で形成されて、下方を向いた面となっている。
【００３１】
また、このように設けられる導光板４０や導光部５０と共に照明装置３０を構成するＬＥＤ３５は、複数のＬＥＤ３５が基板３６に並べられて、導光板下端部４２側に配設されている。詳しくは、導光板下端部４２は、導光板４０の両端部から中央に向かうに従って下方に向かう方向に傾斜しているため、幅方向における中央の両側で、即ち、導光部５０の両側で傾斜角度が異なっているが、ＬＥＤ３５が設けられる基板３６は、この双方の導光板下端部４２の近傍に配設されている。
【００３２】
また、この基板３６は、板状の形状で形成されて複数のＬＥＤ３５が、全て同じ面に並べて設けられており、１つの導光板下端部４２の長さと同じ長さで形成されている。このように形成される基板３６は、ＬＥＤ３５が導光板４０側に向かう向きで、導光板４０の幅方向において導光部５０の両側に位置する双方の導光板下端部４２の近傍に、導光板下端部４２に沿って配設されている。
【００３３】
この実施形態に係る照明装置３０は、以上のごとき構成からなり、以下、その作用について説明する。本実施形態に係る照明装置３０を備える洗面化粧台１の使用時に、照明装置３０を使用する場合には、ＬＥＤ３５を点灯させる。ＬＥＤ３５で発した光は、導光板下端部４２から導光板４０内に進入し、導光板４０内を進む。このように、導光板４０内に入り込んだ光のうち、導光板４０における鏡１５側の面の反対側の面に向かった光は、この部分に設けられている白反射シート２８で反射するため、この面からは出光せずに、導光板４０内に戻る。
【００３４】
また、導光板４０における鏡１５側の面に向かった光のうち、反射フィルム２７が設けられている部分に向かった光は、この反射フィルム２７で反射するため、この面からは出光せずに、導光板４０内に戻る。また、導光板上端部４１に向かった光も、この導光板上端部４１側には、鏡ジョイナー２１が位置しているため、この鏡ジョイナー２１で反射して、導光板上端部４１からは出光せずに、導光板４０内に戻る。
【００３５】
これらに対し、導光板４０における鏡１５側の面に向かった光のうち、反射フィルム２７が設けられていない部分に向かった光は、この部分から出光する。即ち、導光板４０は、鏡１５側の面のうち、反射フィルム２７が設けられていない部分で面発光する。
【００３６】
また、導光板４０における鏡１５側の面の反対側の面において、鏡１５の上部照射部１６の範囲とほぼ同じ範囲には、横溝４５が形成されている。このため、導光板４０内を進む光は、この横溝４５で反射する。このように反射した光は、横溝４５が形成されている側の面の反対側の面、つまり、導光板４０における鏡１５側の面に向かうが、横溝４５が形成される範囲は、上部照射部１６の範囲とほぼ同じ範囲であるため、横溝４５から鏡１５側の面に向かう光は、上部照射部１６の範囲とほぼ同じ範囲の光になる。
【００３７】
導光板４０における鏡１５側の面の上部照射部１６の範囲には、反射フィルム２７が設けられていないため、横溝４５から鏡１５側の面に向かった光は、この面から出光し、導光板４０は面発光する。このように、導光板４０は、鏡１５側の面における上部照射部１６の範囲、つまり、反射フィルム２７が設けられていない部分で面発光するが、鏡１５の上部照射部１６は、鏡銀膜２５が設けられておらず、光の透過が可能になっている。このため、面発光をした導光板４０からの光は、上部照射部１６から外部に照射される。
【００３８】
洗面化粧台１の使用時には、使用者の顔は、鏡１５に対向した部分に位置することが多いので、このように上部照射部１６から照射された光は、使用者の顔付近を照らす。使用者の顔付近に当たった光は、当たった部分で反射し、その一部は鏡１５に向かう。鏡１５では、この光をさらに反射し、この光を使用者が視認することで、明るい状態で鏡１５によって自分の顔等を視認することができる。
【００３９】
照明装置３０のＬＥＤ３５で発した光のうち、一部の光はこのように上部照射部１６から外部に照射されるが、他の一部の光は、導光部５０に向かう。つまり、ＬＥＤ３５は、水平方向に対して傾斜している導光板下端部４２に沿って形成される基板３６に設けられているため、ＬＥＤ３５の光軸は、導光板下端部４２に略直交する方向になっているが、導光板下端部４２は、導光板上端部４１と相対的に傾斜している。さらに、導光板下端部４２は、導光部５０の両側で傾斜が異なっている。これらのため、ＬＥＤ３５で発して導光板下端部４２から導光板４０内に入り込んだ光は、導光板４０内を一律な方向に進むのではなく、導光板４０の内部で反射しながら、多様な方向に進む。
【００４０】
導光部５０内には、このように導光板４０内を多様な方向に進む光の一部が入り込む。導光部５０内に入り込んだ光は、導光部５０の内部を直接進みながら、或いは、導光部５０内で反射を繰り返しながら、導光部端部５１の方向に向かう。このように導光部端部５１の方向に向かい、導光部端部５１に到達した光は、導光部端部５１から出光して導光部５０の外部を照射する。
【００４１】
この導光部端部５１は、キャビネット下端部１１付近に位置しているため、導光部端部５１から外部を照射する光は、キャビネット下端部１１付近を照射する。つまり、導光部５０は、ＬＥＤ３５で発した光を鏡１５の下方側に導き、導いた光を導光部端部５１から照射することにより鏡１５の下方側から光を照射する。導光部５０で導かれた光は、導光部端部５１から外部を照射することにより、キャビネット下端部１１付近を照射するが、このキャビネット下端部１１付近には、水栓２や洗面器３等が配設されている。
【００４２】
これらの水栓２等は、洗面化粧台１の使用者が手等を洗浄する際に使用するため、導光部端部５１からの光で外部を照射す光は、キャビネット下端部１１付近を照射することにより、水栓２を使用する使用者の手元を照射する。これにより、洗面化粧台１の使用者の手元を明るくすることができる。
【００４３】
以上の照明装置３０は、面発光する導光板４０によって、ＬＥＤ３５で発した光を、キャビネット１０に設けられる鏡１５の端部に位置する上部照射部１６から照射するので、洗面化粧台１の使用者の顔付近を明るくすることができる。さらに、ＬＥＤ３５で発した光を、導光板４０から突出して形成される導光部５０によって、鏡１５の下方側から照射するので、洗面化粧台１の使用者の手元付近を明るくすることができる。この結果、複数の方向を、より適切に照射することができる。
【００４４】
特に、キャビネット１０に備えられる照明装置で、使用者の顔付近を照射する際に、照明装置で用いる光源として、指向性の強いＬＥＤを用いた場合には、照明部分が位置する上部に明るさが集中し、手元部分が暗くなってしまう場合がある。これに対し、実施形態に係る照明装置３０では、導光板４０から下方に突出する導光部５０を設けているので、光源にＬＥＤ３５を用いた場合でも、使用者の顔付近のみでなく、手元部分も良好に照射することができる。また、照明装置３０の一部である導光板４０を延ばして導光部５０を形成し、ＬＥＤ３５で発した光を下方側に導くため、別部材を増やすことなく、より適切に複数の方向を照射することができる。
【００４５】
また、１つの光源のユニットであるＬＥＤ３５及び基板３６で、複数の箇所を照射することができるので、光源の数を低減することによるスペース効率の向上と、製造コストの低減を図ることができる。この結果、照射効率が高く、複数の方向の適切な照射を行う照明装置３０を、低コストで実現することができる。
【００４６】
また、ＬＥＤ３５と導光板４０と導光部５０とは、鏡１５が設けられる扉２０に内設されているので、キャビネット１０の収容空間を犠牲にすることなく、適切な照射を行う照明装置３０を設けることができる。この結果、キャビネット１０の収容能力と、照明装置３０の照射性能との両立を図ることができる。
【００４７】
また、導光板４０におけるＬＥＤ３５が配設されている側の端部である導光板下端部４２と、反対側に位置する端部である導光板上端部４１とで、相対的に傾斜しているので、導光板４０内を進む光の進行方向を、多様な方向にすることができる。これにより、ＬＥＤ３５からの光で複数の箇所を照射する際に、光をより確実に分散し、複数の箇所を照射することができる。この結果、より確実に、複数の方向を適切に照射することができる。
【００４８】
また、導光板４０における面発光する側の面の反対側の面に横溝４５を形成しているので、ＬＥＤ３５で発した光を、この横溝４５で反射させ、より確実に面発光させることができる。この結果、より確実に、複数の方向を適切に照射することができる。
【００４９】
また、ＬＥＤ３５は、指向性が高いため、複数の方向を照射することは、通常は困難なものとなっているが、上述した導光板４０と導光部５０とを用いることにより、光源としてＬＥＤ３５を用いた場合でも、適切に複数の箇所を照射することができる。この結果、消費電力を抑えつつ、複数の方向を適切に照射することができる照明装置３０を実現することができる。
【００５０】
図５は、実施形態に係る照明装置の変形例を示す要部断面図である。なお、実施形態に係る照明装置３０では、凹凸部としては、導光板４０における面発光する側の面の反対側の面に横溝４５が形成されているのみであるが、凹凸部は、他の部分にも設けられていてもよい。例えば、図５に示すように、導光板４０における面発光する側の面に、凹凸部である複数の縦溝５５を形成してもよい。
【００５１】
この縦溝５５は、導光板４０の上下方向に延びる溝として形成されており、導光板４０の左右方向に複数本が形成されている。詳しくは、この縦溝５５は、導光板４０の厚さ方向に凹凸になった形状で形成されており、上下方向における範囲が、鏡１５の上部照射部１６の範囲とほぼ同じ範囲に形成されている。
【００５２】
導光板４０に、このように縦溝５５を形成することにより、導光板４０内を進む光は、縦方向に進む光が増加する。このため、導光部５０に入り込み、導光部５０によって下方に導かれて導光部端部５１から照射する光が増加するため、洗面化粧台１の使用者の手元付近を、より明るくすることができる。この結果、複数の方向を、より適切に照射することができる。
【００５３】
図６は、実施形態に係る照明装置の変形例を示す要部断面図である。また、実施形態に係る照明装置３０では、横溝４５は、導光板４０における面発光する側の面の反対側の面に形成されているのみであるが、横溝４５は、他の部分にも設けられていてもよい。例えば、図６に示すように、導光板４０における面発光する側の面である照射方向の面に、上述した横溝４５と同様な形態の横溝である照射方向側横溝５８を形成してもよい。
【００５４】
このように、面発光し、上部照射部１６から照射する光が出光する面にも照射方向側横溝５８を形成することにより、この部分から出光する光の量が増加し、面発光の光量が増加する。これにより、上部照射部１６から照射する光の量が増加するので、洗面化粧台１の使用者の顔付近を、より明るくすることができる。この結果、複数の方向を、より適切に照射することができる。
【００５５】
図７は、実施形態に係る照明装置の変形例を示す要部断面図である。また、実施形態に係る照明装置３０では、導光板４０は、１つの部材により形成されているが、導光板４０は、複数に分割されていてもよい。例えば、図７に示すように、導光板４０は、厚さ方向に２分割し、鏡１５側の反対側に位置する導光板４０である第１導光板６１と、鏡１５側に位置する導光板４０である第２導光板６２とを組み合わせることにより形成してもよい。
【００５６】
また、この場合、第１導光板６１と第２導光板６２とには、共に横溝を設け、第１導光板６１には、上述した横溝４５と同様な形態の横溝である第１横溝６６を形成し、第２導光板６２には、第１導光板６１側の面に、上述した横溝４５と同様な形態の横溝である第２横溝６７を形成する。つまり、第１横溝６６と第２横溝６７とは、同じ向きの横溝として形成する。第１横溝６６と第２横溝６７とは、当該第１横溝６６や第２横溝６７に向かった光を、共に上部照射部１６の方向に反射するため、上部照射部１６から照射する光の量を増加させることができる。これにより、洗面化粧台１の使用者の顔付近を、より明るくすることができ、この結果、複数の方向を、より適切に照射することができる。
【００５７】
図８は、実施形態に係る照明装置の変形例を示す要部断面図である。図９は、図８のＤ−Ｄ断面図である。また、実施形態に係る照明装置３０では、ＬＥＤ３５及び基板３６は、導光板４０の導光板下端部４２の近傍で、導光板下端部４２に沿って配設されているが、ＬＥＤ３５及び基板３６は、これ以外の部分に設けられていてもよい。例えば、図８、図９に示すように、ＬＥＤ３５及び基板３６は、導光板上端部４１の近傍で、導光板上端部４１に沿って配設してもよい。導光板上端部４１と導光板下端部４２とは、相対的に傾斜しているため、ＬＥＤ３５を導光板上端部４１の近傍に配設した場合でも、導光板上端部４１から導光板４０内に入り込んだＬＥＤ３５の光は、導光板４０内で分散し、多様な方向に進行する。このため、ＬＥＤ３５を導光板上端部４１の近傍に配設した場合でも、複数の箇所を照射することができ、より確実に、複数の方向を適切に照射することができる。
【００５８】
また、このようにＬＥＤ３５及び基板３６を導光板上端部４１の近傍に導光板上端部４１に沿って配設した場合、基板３６は、鏡ジョイナー２１に接触することになる。このため、ＬＥＤ３５の発光時に発生する熱を、鏡ジョイナー２１に伝達することができ、ＬＥＤ３５や基板３６の温度が上昇し過ぎることを抑制することができる。この結果、発光時の冷却性能の向上を図ることができる。
【００５９】
図１０は、実施形態に係る照明装置の変形例を示す要部断面図である。また、実施形態に係る照明装置３０では、導光板４０の導光板下端部４２は、導光板４０の幅方向における両端部から中央に向かうに従って、下方に向かう方向に傾斜しているが、導光板下端部４２は、必ずしもこのように形成されていなくてもよい。例えば、図１０に示すように、導光板下端部４２は、導光板４０の幅方向における両端部から中央に向かうに従って、上方に向かう方向に傾斜していてもよい。つまり、この場合、導光板４０は、上下方向における幅が、左右方向における中央部よりも、左右方向における両端部の方が大きくなっている。
【００６０】
導光板下端部４２をこのように形成する場合でも、ＬＥＤ３５や基板３６は導光板下端部４２に沿って形成する。このため、ＬＥＤ３５の発光時に導光板下端部４２から導光板４０内に入り込んだ光は、導光板上端部４１の方向に向かいつつ、左右方向における外側方向に広がる方向に進む。実施形態に係る照明装置３０のように、導光板下端部４２が、導光板４０の幅方向における両端部から中央に向かうに従って下方に向かう方向に傾斜している場合には、導光板４０内を進む光は、導光板４０の幅方向における中央方向に進み易くなる。このため、導光板４０の幅方向における両端部の方向に向かう光は少なくなるため、上部照射部１６から照射される光も、幅方向における両端部付近の光量が少なくなる場合がある。
【００６１】
これに対し、導光板下端部４２は、導光板４０の幅方向における両端部から中央に向かうに従って上方に向かう方向に傾斜させ、導光板４０内に入り込んだＬＥＤ３５からの光を、左右方向における外側方向に広がる方向に進ませるようにした場合には、上部照射部１６からの照射光も、幅方向における両端部付近の光量を確保することができる。これにより、洗面化粧台１の使用者の顔付近を、より確実に、均一に明るくすることができる。この結果、複数の方向を、より適切に照射することができる。
【００６２】
図１１は、実施形態に係る照明装置の変形例を示す要部断面図である。また、実施形態に係る照明装置３０では、導光部５０は導光板４０から１つが突出しているのみであるが、導光部５０は、複数が設けられていてもよい。例えば、図１１に示すように、導光部５０は、導光板４０の左右方向における両端の２箇所から、下方に突出させてもよい。この場合、導光板４０の左右方向における両端付近から導光部５０の方向に向かう光の量が増加するため、導光板４０から面発光する光のうち、導光板４０の幅方向における両端部付近の光量が少なくなる場合がある。このため、このように導光板４０の左右方向における両端付近から導光部５０を突出させる場合には、導光板下端部４２は、導光板４０の幅方向における両端部から中央に向かうに従って上方に向かう方向に傾斜させ、導光板４０内に入り込んだＬＥＤ３５からの光を、左右方向における外側方向に広がる方向に進ませるのが好ましい。
【００６３】
このように、導光部５０を複数設けることにより、導光部５０によって下方に導かれて導光部端部５１から照射する光が増加するため、洗面化粧台１の使用者の手元付近を、より確実に明るくすることができる。この結果、複数の方向を、より適切に照射することができる。
【００６４】
また、このように導光部５０を複数設けることにより、照明装置３０の強度を増加させることができるので、照明装置３０を内設する扉２０の強度を増加させたり、扉２０に設けられる補強部材を低減させたりすることができる。また、左右方向における中央部分に導光部５０を設けないことにより、扉２０の中央部付近に、収納部を設けることができる。これらの結果、適切に複数の方向への照射を可能にしつつ、使い勝手のよい照明装置３０を実現することができる。
【００６５】
また、導光部５０を設ける位置は、導光板４０の左右方向におけるどの部分に設けてもよい。導光部５０を設ける位置や数は、使用する態様に応じて、適宜設定するのが好ましい。
【００６６】
図１２は、実施形態に係る照明装置の変形例を示す要部断面図である。また、上述した各照明装置３０では、導光部５０は、左右方向の幅が一定の幅で導光板４０の下方に突出しているが、導光部の左右方向における幅は、一定でなくてもよい。例えば、図１２に示すように、導光板４０から下方に突出して形成される導光部７０は、導光板４０から下方に離れ、下方側の端部である導光部端部７１に向かうに従って、左右方向の幅が広くなって形成されていてもよい。この場合、導光部７０における光を照射する部分である導光部端部７１の幅を広くするので、導光部７０によって下方に導いた光によって導光部７０を照射する際に、照射エリアを横に広げることができる。このように、導光部７０の形状は、使用する環境や用途によって、適宜設定してもよい。これにより、複数の方向の所望の照射エリアを、より適切に照射することができる。
【００６７】
図１３は、実施形態に係る照明装置の変形例を示す説明図であり、浴室に備えられるミラーキャビネットの概略図である。また、実施形態に係る照明装置３０は、洗面化粧台１に備え付けられるキャビネット１０に設けられているが、照明装置３０は、洗面化粧台１のキャビネット１０以外の部分に設けられていてもよい。照明装置３０は、例えば、図１３に示すような、浴室８０に備えられるミラーキャビネット８１に設けられていてもよい。この場合、照明装置３０（図２、図３等参照）は、ミラーキャビネット８１に内設し、照明装置３０の導光板４０で面発光した光は、ミラーキャビネット８１が有する鏡８２の上部照射部８３から、鏡８２が面している方向に向かって照射される。また、照明装置３０の導光部５０（図３等参照）によって下方に導かれ、導光部端部５１から下方に向かって照射される光は、ミラーキャビネット８１の下側の端部であるキャビネット下端部８５から、下方に向かって照射される。
【００６８】
また、このように設けられるミラーキャビネット８１が備えられる浴室８０では、ミラーキャビネット８１の下方に水栓９０が設けられている場合が多くなっている。このため、このミラーキャビネット８１に、上述した照明装置３０を内設し、照明装置３０が有するＬＥＤ３５（図２、図３等参照）を発光させることにより、浴室８０でミラーキャビネット８１を使用する人の顔付近を、上部照射部８３からの光で照射することができる。また、照明装置３０が有するＬＥＤ３５を発光させることにより、ミラーキャビネット８１の下方に位置する水栓９０付近を、キャビネット下端部８５からの光で照射することができ、ミラーキャビネット８１の使用者の手元付近を明るくすることができる。従って、浴室８０に備えられるミラーキャビネット８１に照明装置３０を設けた場合でも、複数の方向を、より適切に照射することができる。このように、本発明に係るミラーキャビネットは、鏡を有するキャビネットであれば、そのキャビネットが配設される位置や用途は問わない。
【００６９】
また、上述した照明装置３０では、光源としてＬＥＤ３５を用いているが、光源はＬＥＤ３５以外のものを用いてもよい。光源としてＬＥＤ３５以外のものを用いた場合でも、上述した導光板４０や導光部５０を用いて、光源で発した光を導くことにより、複数の方向を適切に照射することができる。
【産業上の利用可能性】
【００７０】
以上のように、本発明に係るミラーキャビネットは、複数の方向を照射するミラーキャビネットに有用である。
【符号の説明】
【００７１】
１  洗面化粧台
１０  キャビネット
１１  キャビネット下端部
１５  鏡
１６  上部照射部
２０  扉
２１  鏡ジョイナー
２５  鏡銀膜
２７  反射フィルム
２８  白反射シート
３０  照明装置
３５  ＬＥＤ
３６  基板
４０  導光板
４１  導光板上端部
４２  導光板下端部
４５  横溝
５０  導光部
５１  導光部端部
【図１】
0005483428.tif 000002
【図２】
0005483428.tif 000003
【図３】
0005483428.tif 000004
【図４】
0005483428.tif 000005
【図５】
0005483428.tif 000006
【図６】
0005483428.tif 000007
【図７】
0005483428.tif 000008
【図８】
0005483428.tif 000009
【図９】
0005483428.tif 000010
【図１０】
0005483428.tif 000011
【図１１】
0005483428.tif 000012
【図１２】
0005483428.tif 000013
【図１３】
0005483428.tif 000014